(57)【要約】【課題】部品点数が少なく、パネルの厚さが変動してもガタツキなく光アダプタをパネルに固定保持可能なコネクタアダプタ用取付金具と、ガタツキなくパネルに固定保持可能な光アダプタを提供する。【解決手段】光アダプタ１は、その外面部に配設される取付金具４であって、パネル２０に貫通状に装着された光アダプタ１をパネル２０に固定保持する為の取付金具４を設け、取付金具４が、連結板部１０と、この連結板部１０の両端から直交方向へ延びる１対の対向する側板部１１とを備え、各側板部１１に、その側板部１１を切り起こして弾性係止爪１２を形成し、各側板部１１の端部のうちの弾性係止爪１２の自由端側の端部１２ａから側板部１１と鋭角をなすように外側へ延びる弾性係合板部１３を側板部１１に一体形成し、光アダプタ１のハウジング２の外面部に取付金具４の連結板部１０と１対の側板部１１とを嵌合させるための係合溝７を形成した。【選択図】　　図１
2004045622.tif 000002
【特許請求の範囲】
【請求項１】
光アダプタの外面部に配設され、パネルに貫通状に装着された光アダプタをパネルに固定する為の光アダプタ用取付金具において、
連結板部と、この連結板部の両端から直交方向へ延びる１対の対向する側板部とを備え、
前記各側板部に、その側板部を切り起こして弾性係止爪を形成し、
前記各側板部の端部のうちの弾性係止爪の自由端側の端部から側板部と鋭角をなすように外側へ延びパネルを弾性係止爪の方へ弾性付勢する弾性係合板部を側板部に一体形成した、
ことを特徴とする光アダプタ用取付金具。
【請求項２】
前記弾性係合板部に、ビス挿通孔を形成したことを特徴とする請求項１に記載の光アダプタ用取付金具。
【請求項３】
パネルに貫通状に装着される光アダプタにおいて、　前記光アダプタの外面部に配設されて、パネルに貫通状に装着された光アダプタをパネルに固定する為の取付金具を設け、
前記取付金具が、連結板部と、この連結板部の両端から直交方向へ延びる１対の対向する側板部とを備え、
前記各側板部に、その側板部を切り起こして弾性係止爪を形成し、
前記各側板部の端部のうちの弾性係止爪の自由端側の端部から側板部と鋭角をなすように外側へ延びパネルを弾性係止爪の方へ弾性付勢する弾性係合板部を側板部に一体形成し、
前記光アダプタのハウジングの外面部に取付金具の連結板部と１対の側板部とを係合させるための係合溝を形成した、
ことを特徴とする光アダプタ。
【請求項４】
前記ハウジングは、その長さ方向途中部に１対の弾性係合板部とに夫々対向する１対のフランジ部を有し、この各組のフランジ部と弾性係合板部にビス孔を形成したことを特徴とする請求項３に記載の光アダプタ。
【請求項５】
略直方体の外形形状で且つ１対の側面の中央部にフランジ部を備え、パネルに貫通状に装着される合成樹脂製の光アダプタにおいて、前記１対の側面の側面部に弾性係止爪を夫々一体形成し、
前記各フランジ部の近傍部のうちの弾性係止爪に臨む位置に前記側面と鋭角をなすように外側へ延びパネルを弾性係止爪の方向に弾性付勢する１又は複数の弾性係合片部を一体形成した、
ことを特徴とする光アダプタ。
【請求項６】
前記フランジ部にビス孔を形成したことを特徴とする請求項５に記載の光アダプタ。
【発明の詳細な説明】
【０００１】
【発明の属する技術分野】本発明は、光アダプタ用取付金具と光アダプタに関し、特に光アダプタをパネルに貫通状に取り付けた状態で光アダプタのガタツキを防止可能にした光アダプタ用取付金具と光アダプタに関するものである。
【０００２】
【従来の技術】従来、光通信部品としての光コネクタは、光ファイバの端部を夫々保持する、ＳＣ形やＭＵ形の１対のプラグと、これら１対のプラグを対向状に挿入装着可能な１対のプラグ装着孔を有するアダプタとで構成されている。各プラグのフェルールに光ファイバの端部が挿入され、フェルールの端面と光ファイバの端面が面一になるように保持されている。１対のプラグがアダプタに装着されると、１対のフェルールの端面同士が突き合わされて、１対の光ファイバの端面同士が光学的に接続される。
【０００３】
ところで、複数の光アダプタは、例えば、厚さ１．６ｍｍのアルミなどのパネルの取付け穴に貫通させた状態に１列状又は複数列状に装着される。
各光アダプタが取付け穴から離脱しないように保持する為に、光アダプタの外面部にバネ板製の取付金具が装着され、この取付金具には１対の弾性係止爪が形成され、この１対の弾性係止爪を弾性変形させながら、光アダプタを取付け穴に貫通させて、光アダプタのフランジ部にパネルを当接させると共に、１対の弾性係止爪の先端をパネルに当接させることで、パネルを弾性係止爪とフランジ部で挟持し、光アダプタが取付け穴から脱落しないように、１対の弾性係止爪で抜け止めしていた。
【０００４】
上記は、光アダプタのフランジ部と取付金具とで光アダプタをパネルを固定する場合の一例であるが、フランジ部のない光アダプタの場合には、フランジ部に相当する、取付金具に対して直角に突設した突片を形成した取付金具が採用される。
例えば、実用新案登録第２５６４２０号公報や特開２００１−１８８１３４号公報に記載の光アダプタ用取付金具においては、１対のコ字形状のパネル取付金具を、光アダプタに上下から外嵌合させ、取付金具の上面と下面に夫々２組の突片とバネ片を形成しておき、光アダプタをパネルの取付け穴に貫通状に取り付け、上下両側において、２組の突片とバネ片とでパネルを挟持することで、光アダプタをパネルに固定している。
【０００５】
【発明が解決しようとする課題】ここで、前記フランジ部と係止爪の間の寸法は、規格品のパネルの厚さより僅かに狭く設定されるため、パネルとして規格通りの厚さのパネルを採用すれば、光アダプタをパネルにガタツキなく固定することができる。しかし、最近では、規格品と異なる厚さのパネルが採用される場合も少なくない。
規格品よりも薄いパネルが採用される場合、フランジ部と係止爪とでパネルを挟持することができず、ガタツキが生じる。そこで、最近では、フランジ部とパネルに１対のビス穴を形成し、１対のビスによりフランジ部をパネルに固定する構造も採用されている。
【０００６】
前記２つの公報に記載の取付金具において、突片は高さも小さくバネ性を有するものでなく、前記フランジ部の代わりに設けられるものであるため、規格品よりも薄いパネルが採用される場合には、前記と同様の問題が生じる。
しかも、取付金具は、上下１対のパネル取付金具から構成されているため、部品数も多く、製作費が高価になるうえ、上下１対のパネル取付金具を光アダプタに取り付けるのに労力と時間がかかる。
【０００７】
また、特開２００１−１８８１３４号公報の取付金具では、突片と係止爪は切り起こしにて形成されているが、突片を係止爪側から切り起こしているため、突片と係止爪の先端間の寸法が突片の高さとほぼ等しくなるが、その突片と係止爪の先端間の寸法をパネルの厚さと等しくするには、突片の高さをパネルの厚さ程度に小さくしなければならず、バネ性のある突片に形成することが困難である。本発明の目的は、部品点数が少なく、規格品よりも薄いパネルに光アダプタを取り付ける場合にも、ガタツキなく取り付け可能な光アダプタ用取付金具と、光アダプタを提供することである。
【０００８】
【課題を解決するための手段】請求項１の光アダプタ用取付金具は、光アダプタの外面部に配設され、パネルに貫通状に装着された光アダプタをパネルに固定する為の光アダプタ用取付金具において、連結板部と、この連結板部の両端から直交方向へ延びる１対の対向する側板部とを備え、前記各側板部に、その側板部を切り起こして弾性係止爪を形成し、前記各側板部の端部のうちの弾性係止爪の自由端側の端部から側板部と鋭角をなすように外側へ延びパネルを弾性係止爪の方へ弾性付勢する弾性係合板部を側板部に一体形成したものである。
【０００９】
この光アダプタ用取付金具を光アダプタの外面部に係合させた状態で、これらをパネルの装着穴に貫通状に装着すると、弾性係止爪が弾性変形しながら装着穴を通過する頃、１対の弾性係合板部がパネルに弾性的に当接して受け止め、装着穴を通過した弾性係止爪が反対側からパネルに当接する。つまり、１対の弾性係合板部と１対の弾性係止爪とでパネルを挟持する状態になる。
弾性係合板部が側板部に対して鋭角をなしているため、弾性係合板部が板バネ的に機能し、規格品の厚さのパネルに取り付ける場合にも、規格品よりも薄いパネルに取り付ける場合にも、光アダプタがガタツキなくパネルに固定される。
【００１０】
弾性係合板部は、側板部から切り起こしで形成するのではなく、側板部の端部から折り曲げ状に形成するため、弾性係合板部の側板部からの高さを自由に大きく設定して十分なバネ性のあるものに形成することができる。
この取付金具は、一体品の１部品であり、１対の対向する側板部を連結板部で連結し、各側板部に弾性係止爪を形成し、各側板部から延びるように弾性係合板部を一体的に形成してあるため、部品数も最少で製作費を低減できるうえ、取付金具を光アダプタに一方向から簡単に装着できるから、その取り付けのコストも低減できる。
【００１１】
請求項２の光アダプタ用取付金具は、請求項１の発明において、前記弾性係合板部に、ビス孔を形成したものである。そのため、必要に応じて、このビス穴を介して光アダプタをパネルにビスで固定することもでき、光アダプタが側板部と平行方向にガタつくガタツキを解消ことができる。このビスで固定する際にも、光アダプタは弾性係止爪と弾性係合板部とで保持されガタつかないので、ビスの取付けも簡単に能率的に行うことができる。
【００１２】
請求項３の光アダプタは、パネルに貫通状に装着される光アダプタにおいて、前記光アダプタの外面部に配設されて、パネルに貫通状に装着された光アダプタをパネルに固定する為の取付金具を設け、取付金具が、連結板部と、この連結板部の両端から直交方向へ延びる１対の対向する側板部とを備え、各側板部に、その側板部を切り起こして弾性係止爪を形成し、前記各側板部の端部のうちの係止爪の自由端側の端部から側板部と鋭角をなすように外側へ延びパネルを弾性係止爪の方へ弾性付勢する弾性係合板部を側板部に一体形成し、光アダプタのハウジングの外面部に取付金具の連結板部と１対の側板部とを係合させるための係合溝を形成したものである。
【００１３】
この光アダプタは、この光アダプタをパネルに固定する為の取付金具を有し、この取付金具は、請求項１の取付金具と同様の構成であり、光アダプタのハウジングの外面部に、取付金具の連結板部と１対の側板部とを係合させる係合溝を形成したので、この係合溝に取付金具を装着すると、取付金具と光アダプタとが係合状態となる。この係合状態にして、取付金具と光アダプタとをパネルの装着穴に貫通状に装着する。その他、基本的に請求項１と同様の作用効果を奏する。
【００１４】
請求項４の光アダプタは、請求項３の発明において、前記ハウジングは、その長さ方向途中部に１対の弾性係合板部とに夫々対向する１対のフランジ部を有し、この各組のフランジ部と弾性係合板部にビス孔を形成したものである。フランジ部と弾性係合板部にビス孔を形成したので、必要に応じて、これらビス孔を介して　フランジ部と弾性係合板部をパネルにビスで固定することもでき、フランジ部と平行方向のガタツキをなくすことができる。このビスで固定する際にも、光アダプタは弾性係止爪と弾性係合板部とで保持されガタつかないようになっているため、ビスの取付けも簡単に能率的に行うことができる。
【００１５】
請求項５の光アダプタは、略直方体の外形形状で且つ１対の側面の中央部にフランジ部を備え、パネルに貫通状に装着される合成樹脂製の光アダプタにおいて、前記１対の側面の側面部に弾性係止爪を夫々一体形成し、前記各フランジ部の近傍部のうちの弾性係止爪に臨む位置に前記側面と鋭角をなすように外側へ延びパネルを弾性係止爪の方向に弾性付勢する１又は複数の弾性係合片部を一体形成したものである。
【００１６】
この光アダプタをパネルの装着穴に貫通状に装着すると、弾性係止爪が弾性変形しながら装着穴を通過する頃、１対の弾性係合片部がパネルに弾性的に当接して受け止め、装着穴を通過した弾性係止爪が反対側からパネルに当接する。つまり、１対の弾性係合片部と１対の弾性係止爪とでパネルを挟持する状態になる。弾性係合片部が側面に対して鋭角をなしているため、弾性係合片部が板バネ的に機能し、規格品の厚さのパネルに取り付ける場合にも、規格品よりも薄いパネルに取り付ける場合にも、光アダプタがガタツキなくパネルに固定される。
【００１７】
フランジ部と弾性係止爪と弾性係合片部を合成樹脂製の光アダプタに一体形成してあるため、別部品が不要で、非常に安価に製作できるうえ、光アダプタに弾性係止爪や弾性係合片部を取付ける必要がなく、また、光アダプタをパネルへ装着するだけの簡単な動作により、光アダプタをパネルに簡単に固定することができる。
【００１８】
請求項６の光アダプタは、請求項５の発明において、前記フランジ部にビス孔を形成したものである。そのため、必要に応じて、前記のビス孔を介して、フランジ部をパネルにネジで固定できるので、光アダプタがフランジ部と平行方向にガタつくガタツキを解消することができる。このビスで固定する際にも、光アダプタは弾性係止爪と弾性係合片部とで保持されガタつかないので、ビスの取付けも簡単に能率的に行うことができる。
【００１９】
【発明の実施の形態】以下、本発明をＳＣ形コネクタの光アダプタに適用した実施形態の一例を図を参照して説明する。
図１に示すように、この光アダプタ１は、光ファイバーの端部を支持したフェルールが組み込まれた１対のＳＣ形プラグを接続する為のもので、パネルに貫通状に装着して固定保持されるものである。光アダプタ１は、内部に前記プラグを挿入して保持可能なプラグ装着孔などを夫々有する１対の合成樹脂製のハウジング２、３と、この光アダプタ１の外面部に配設された取付金具４とを備えている。この取付金具４は、パネルに嵌通状に装着された光アダプタをパネルに固定する為のものである。
【００２０】
ハウジング２、３の対向端部には、夫々１対のフランジ部６が形成され、ハウジング２、３にはＳＣ形プラグを装着する為のプラグ装着孔５が形成され、ハウジング２、３はフランジ部６同士を当接させた状態にしてその当接面を接着することで一体化されている。一方のハウジング２の外面部には、取付金具４を係合させるための係合溝７が形成されている。ハウジング２、３の互いに接着固定されたフランジ部６には、ビス挿通孔８が形成されている。
【００２１】
図１、図３、図４に示すように、取付金具４は、肉厚が０．３〜０．６ｍｍ程度の薄いバネ鋼板製のコ字状の一体品であり、取付金具４は、連結板部１０と、この連結板部１０の両端から直交方向へ上方へ延びる１対の相対向する側板部１１と、これら側板部１１に形成した１対の弾性係止爪１２と、１対の側板部１１の端部から延びる１対の弾性係合板部１３とを一体形成したものである。
【００２２】
各側板部１１は横長の矩形形状であり、この各側板部１１にはその中央部分を切り起こして矩形状の弾性係止爪１２が形成され、弾性係止爪１２の一端は側板部１１に連なり、弾性係止爪１２の他端が自由端となり、この弾性係止爪１２の自由端側部分が側板部１１の外面外へ突出するように一端と自由端付近部で折り曲げられている。
各側板部１１の端部のうち弾性係止爪１２の自由端側の端部には、側板部１１と鋭角をなすように外側へ延びる弾性係合板部１３が一体形成されている。弾性係合板部１３はバネ性を確保する為に、その幅（側板部１１から自由端１３ａまでの幅）は約５〜８ｍｍ程度に大きく形成され、弾性係合板部１３はほぼ正方形をなす。
【００２３】
弾性係合板部１３の自由端１３ａと弾性係止爪１２の自由端１２ａの間隔ｄであって側板部１１と平行方向の間隔ｄ（図６参照）は、光アダプタ１を取付けるパネル２０（図５参照）の厚さよりも小さく設定されている。弾性係合板部１３には、各組のフランジ部６のビス孔８に対向するビス孔１４が形成されている。但し、ビス孔８，１４は必ず必要なものではない。
【００２４】
次に、複数の光アダプタ１は、１列又は複数列にして、共通のパネルに貫通状に装着されるが、この光アダプタ１を取付ける為のパネル２０について説明する。図５に示すように、パネル２０は、厚さ約１．０〜２．０ｍｍのアルミニウム板に防錆被膜を形成したものである。パネル２０には、光アダプタ１が夫々装着される複数の矩形の装着孔２１が形成され、各装着孔２１のサイズは、例えば、縦９．５ｍｍ×横１３．１ｍｍであり、各装着孔２１の両側には光アダプタ１をビスで固定する為の１対のビス孔２２が形成されている。
【００２５】
光アダプタ１をパネル２０に装着する際には、図１、図２、図６に示すように、取付金具４の連結板部１０と１対の側板部１１とをハウジング２の外面部に形成されている淺い係合溝７に係合させると、取付金具４がハウジング２に対して係合状態になり、上下左右前後方向に相対移動不能となる。
【００２６】
次に、パネル２０の装着孔２１に光アダプタ１を装着孔２１に装着する場合、ハウジング２をパネル２０の装着孔２１に挿入すると、弾性係止爪１２が内側に弾性変形して装着孔２１を通過していき、弾性係合板部１３がパネル２０の片面に当接して弾性的に受け止められてから、弾性係止爪１２が装着孔２１を通過完了して、弾性係止爪１２の弾性復元力で各弾性係止爪１２が外側の係止位置に復帰してパネル２０の他面に当接し、図６に示すように、１対の弾性係合板部１３と１対の弾性係止爪１２とでパネル２０を両側から挟持した状態になり、パネル２０に貫通状に装着された光アダプタ１がパネル２０に固定された状態になる。尚、前記の１対の弾性係合板部１３と１対の弾性係止爪１２とで光アダプタ１を固定保持したとしても、光アダプタ１が図１の上下方向（フランジ部６と平行方向）へガタつく虞れがあるので、必要に応じて、ビス孔８，１４を介して、光アダプタ１のフランジ部６と１対の弾性係合板部１３をパネル２０にビス（図示略）で固定してもよい。このビスで固定する際にも、光アダプタ１は１対の弾性係合板部１３と１対の弾性係止爪１２とで固定保持されているので、ビス取付けを簡単に能率的に行うことができる。
【００２７】
この光アダプタ１と、その取付金具４によれば、以上説明したように、取付金具４を装着した光アダプタ１をパネル２０の装着穴２１に貫通状に装着した状態において、１対の弾性係止爪１２と１対の弾性係合板部１３とでパネル２０を両側から挟持して光アダプタをパネルにガタツキなく固定保持することができる。特に、弾性係合板部１３が側板部１１に対して鋭角をなしているため、弾性係合板部１３が板バネ的に機能し、規格品の厚さのパネル２０に取り付ける場合にも、規格品よりも薄いパネル２０に取り付ける場合にも、光アダプタ１がガタツキなくパネルに固定される。
【００２８】
弾性係合板部１３は、側板部１１から切り起こしで形成するのではなく、側板部１１の端部から折り曲げ状に形成するため、弾性係合板部１３の側板部１１からの幅寸法を自由に大きく設定して十分なバネ性のあるものに形成することができる。この取付金具４は、一体品の１部品であり、１対の対向する側板部１１を連結板部１０で連結し、各側板部１１に弾性係止爪１２を形成し、各側板部１１から延びるように弾性係合板部１３を一体的に形成してあるため、部品数も最少で製作費を低減できるうえ、取付金具４を光アダプタ１に一方向から簡単に装着できるから、その取り付けのコストも低減できる。
【００２９】
光アダプタ１のハウジング２の外面部に、取付金具４の連結板部１０と１対の側板部１１とを係合させる係合溝７を形成したので、この係合溝７に取付金具４を装着すると、取付金具４とハウジング２とが係合状態となる。この係合状態にして、取付金具４付きの光アダプタ１をパネル２０の装着穴２１に貫通状に装着することができる。
【００３０】
次に、別実施形態に係る光アダプタについて説明する。
図７、図８に示すように、この光アダプタ３０は、略直方体の外形形状で且つ１対の側面の中央部にフランジ部を備え、パネルに貫通状に装着される合成樹脂製の光アダプタである。
この光アダプタ３０は１対のハウジング３１，３２を主体として構成されるが、ハウジング３１，３２には、フランジ部３３，３４と、ＳＣ形プラグを装着するプラグ装着孔３５が夫々形成され、フランジ部３３，３４を対向させて当接させた状態にしてその当接面を接着することで、一体に構成されている。　フランジ部３３，３４には、ビス孔３８が夫々形成されている。
【００３１】
ハウジング３１の１対の側面の側面部には、弾性係止爪３６が夫々一体形成され、弾性係止爪３６の途中部には自由端３６ａ側へ向かって厚肉化する厚肉部３６ｂが形成され、この厚肉部３６ｂの外面の傾斜案内面は自由端３６ａ側程外側に移行するように傾斜しており、この弾性係止爪３６は前記側面と同一面になるまで内側へ弾性変形可能になっている。
【００３２】
各フランジ部３３の近傍部のうちの弾性係止爪３６に臨む部分には、前記側面と鋭角をなすように外側へ延びパネル２０を弾性係止爪３６の方向に弾性付勢する１対の弾性係合片部３７が一体形成されている。弾性係合片部３７の自由端３７ａと弾性係止爪３６の自由端３６ａとの間隔であって、光アダプタ３０の長さ方向の間隔は、パネル２０の厚さよりも小さく設定されている。
【００３３】
図８に示すように、この光アダプタ３０をパネル２０に装着する際には、光アダプタ３０をハウジング３１からパネル２０の装着孔２１に挿入していくと、１対の弾性係止爪３６が装着孔２１の縁面で押圧されて内側へ弾性変形しながら挿入が進行する。次に、２対の弾性係合片部３７がパネル２０に当接して僅かに弾性変形する頃、１対の弾性係止爪３６が装着孔２１の通過を完了して、図７、図８に示す状態に弾性的に復帰し、パネル２０の面を弾性係合片部３７と反対側から押圧し、２対の弾性係合片部３７と１対の弾性係止爪３６とでパネル２０を挟持した状態になり、光アダプタ３０がパネル２０に貫通状に装着された状態になる。
【００３４】
前記側面と鋭角をなすように外側へ延びパネル２０を弾性係止爪３６の方向に弾性付勢する２対の弾性係合片部３７を設けてあるため、規格品のパネル２０に装着する場合にも、規格品よりも薄いパネル２９に装着する場合にも、２対の弾性係合片部３７と１対の弾性係止爪３６とでパネル２０を挟持した状態にして、光アダプタ３０を固定保持することができる。
尚、必要に応じて、フランジ部３３、３４に形成したビス孔３８を介して、フランジ部３３，３４をパネル２０にビスで固定することができる。その場合、光アダプタ３０のパネル２０に対する上下方向のガタツキを無くすことができる。
【００３５】
この光アダプタ３０によれば、フランジ部３３，３４と、１対の弾性係止爪３６と、各弾性係止爪３６に対応する弾性係合片部３７とを一体的に形成したので、光アダプタ３０をパネル２０の装着穴に貫通状に装着した状態において、１対の弾性係止爪３６と２対の弾性係合板部３７とでパネル２０を両側から挟持して光アダプタ３０をパネル２０にガタツキなく固定保持することができる。特に、弾性係合片部３７が側面に対して鋭角をなしているため、弾性係合片部３７が板バネ的に機能し、規格品の厚さのパネル２０に取り付ける場合にも、規格品よりも薄いパネル２０に取り付ける場合にも、光アダプタ３０がガタツキなくパネルに固定される。また、弾性係合片部３７の側面からの長さを自由に大きく設定して十分なバネ性のあるものに形成することができる。
【００３６】
フランジ部３３，３４と弾性係止爪３６と弾性係合片部３７を合成樹脂製の光アダプタ３０に一体形成してあるため、別部品が不要で、非常に安価に製作できるうえ、光アダプタ３０に弾性係止爪３６や弾性係合片部３７を取付ける必要がなく、また、光アダプタ３０をパネル２０へ装着するだけの簡単な動作により、光アダプタ３０をパネルに簡単に固定することができる。
尚、１対の弾性係合片部３７は夫々２個形成されているが、弾性係合片部は１個、もしくは３個以上形成してもよく、２個に限定されるものではない。
【００３７】
尚、前記実施形態に係る取付金具付きの光アダプタ１、光アダプタ取付け用取付金具４、光アダプタ３０は、前記の構造に限定されるものではなく、種々の変更を付加した形態で実施可能であり、ＳＣ形プラグを接続する光アダプタに限らず、ＭＵ形プラグ又はＬＣ形プラグを接続する光アダプタにも、本発明を適用可能であることは勿論である。
【００３８】
【発明の効果】請求項１の光アダプタ用取付金具によれば、この取付金具は、連結板部とこの連結板部の両端部から直交方向へ延びる１対の側板部とを備え、各側板部の端部のうちの弾性係止爪の自由端側の端部から側板部と鋭角をなすように外側へ延びパネルを弾性係止爪の方へ弾性付勢する弾性係合板部を側板部に一体形成したので、取付金具を装着した光アダプタをパネルの装着穴に貫通状に装着した状態において、１対の弾性係止爪と１対の弾性係合板部とでパネルを両側から挟持して光アダプタをパネルにガタツキなく固定保持することができる。特に、弾性係合板部が側板部に対して鋭角をなしているため、弾性係合板部が板バネ的に機能し、規格品の厚さのパネルに取り付ける場合にも、規格品よりも薄いパネルに取り付ける場合にも、光アダプタがガタツキなくパネルに固定される。
【００３９】
弾性係合板部は、側板部から切り起こしで形成するのではなく、側板部の端部から折り曲げ状に形成するため、弾性係合板部の側板部からの高さを自由に大きく設定して十分なバネ性のあるものに形成することができる。
この取付金具は、一体品の１部品であり、１対の対向する側板部を連結板部で連結し、各側板部に弾性係止爪を形成し、各側板部から延びるように弾性係合板部を一体的に形成してあるため、部品数も最少で製作費を低減できるうえ、取付金具を光アダプタに一方向から簡単に装着できるから、その取り付けのコストも低減できる。
【００４０】
請求項２の光アダプタ用取付金具によれば、弾性係合板部にビス孔を形成したので、必要に応じて、このビス穴を介して光アダプタをパネルにビスで固定することもでき、光アダプタが側板部と平行方向にガタつくガタツキを解消ことができる。このビスで固定する際にも、光アダプタは弾性係止爪と弾性係合板部とで保持されガタつかないので、ビスの取付けも簡単に能率的に行うことができる。
【００４１】
請求項３の光アダプタは、この光アダプタをパネルに固定する為の取付金具を有し、この取付金具は、請求項１の取付金具と同様の構成であり、光アダプタのハウジングの外面部に、取付金具の連結板部と１対の側板部とを係合させる係合溝を形成したので、この係合溝に取付金具を装着すると、取付金具と光アダプタとが係合状態となる。この係合状態にして、取付金具と光アダプタとをパネルの装着穴に貫通状に装着することができる。その他、基本的に請求項１と同様の効果を奏する。
【００４２】
請求項４の光アダプタによれば、前記ハウジングは、その長さ方向途中部に１対の弾性係合板部とに夫々対向する１対のフランジ部を有し、この各組のフランジ部と弾性係合板部にビス孔を形成したので、必要に応じて、これらビス孔を介して　フランジ部と弾性係合板部をパネルにビスで固定することもでき、フランジ部と平行方向のガタツキをなくすことができる。このビスで固定する際にも、光アダプタは弾性係止爪と弾性係合板部とで保持されガタつかないようになっているため、ビスの取付けも簡単に能率的に行うことができる。
【００４３】
請求項５の合成樹脂製の光アダプタは、フランジ部と、１対の弾性係止爪と、各弾性係止爪に対応する弾性係合片部とを一体的に形成したので、光アダプタをパネルの装着穴に貫通状に装着した状態において、１対の弾性係止爪と１対の弾性係合板部とでパネルを両側から挟持して光アダプタをパネルにガタツキなく固定保持することができる。特に、弾性係合片部が側面に対して鋭角をなしているため、弾性係合片部が板パネ的に機能し、規格品の厚さのパネルに取り付ける場合にも、規格品よりも薄いパネルに取り付ける場合にも、光アダプタがガタツキなくパネルに固定される。また、弾性係合片部の側面からの高さを自由に大きく設定して十分なパネ性のあるものに形成することができる。
【００４４】
フランジ部と弾性係止爪と弾性係合片部を合成樹脂製の光アダプタに一体形成してあるため、別部品が不要で、非常に安価に製作できるうえ、光アダプタに弾性係止爪や弾性係合片部を取付ける必要がなく、また、光アダプタをパネルへ装着するだけの簡単な動作により、光アダプタをパネルに簡単に固定することができる。
【００４５】
請求項６の光アダプタによれば、フランジ部にビス孔を形成したので必要に応じて、前記のビス孔を介して、フランジ部をパネルにネジで固定できるので、光アダプタがフランジ部と平行方向にガタつくガタツキを解消することができる。このビスで固定する際にも、光アダプタは弾性係止爪と弾性係合片部とで保持されガタつかないので、ビスの取付けも簡単に能率的に行うことができる。
【図面の簡単な説明】
【図１】本発明の実施形態に係る光アダプタの斜視図である。
【図２】光アダプタ（取付金具装着前の状態）の斜視図である。
【図３】取付金具の斜視図である。
【図４】取付金具の平面図である。
【図５】パネルの正面図である。
【図６】パネルに光アダプタを装着した状態の平面図である。
【図７】別実施形態に係る光アダプタの斜視図である。
【図８】パネルに光アダプタを装着した状態の平面図である。
【符号の説明】
１　　　光アダプタ
２，３　　　ハウジング
４　　　取付金具
６　　　フランジ部
７　　　係合溝
８，１４　　　ビス孔
１０　　　連結板部
１１　　　側板部
１２　　　弾性係止爪
１３　　　弾性係合板部
２０　　　パネル
３０　　　光アダプタ
３１，３２　　　ハウジング
３３，３４　　　フランジ部
３６　　　弾性係止爪
３７　　　弾性係合片部
３８　　　ビス孔
【図１】
2004045622.tif 000003
【図２】
2004045622.tif 000004
【図３】
2004045622.tif 000005
【図４】
2004045622.tif 000006
【図５】
2004045622.tif 000007
【図６】
2004045622.tif 000008
【図７】
2004045622.tif 000009
【図８】
2004045622.tif 000010